(57)【要約】【課題】植栽容器の略垂直面等の側面に植栽可能な植栽容器に着用可能な植栽容器カバーが求められている。【解決手段】植栽容器カバーであって、前記植栽容器カバーは、植物を植栽する植栽容器の外観を覆うカバーであって、前記植栽容器カバーの側面には、植物の茎が挿通可能な１以上の隙間またはスリットを備えたことを特徴とする植栽容器カバー。【選択図】図１
2019129805.tif 000002
【特許請求の範囲】
【請求項１】
植栽容器カバー（１）であって、
前記植栽容器カバーは、植物を植栽する植栽容器の外観を覆うカバーであって、
前記植栽容器カバーの側面には、植物の茎が挿通可能な１以上の隙間またはスリット(１００)を備えたことを特徴とする植栽容器カバー（１）。
【請求項２】
前記植栽容器カバーが、可撓性シート(１３０１)であることを特徴とする請求項２に記載の植栽容器カバー（１）。
【請求項３】
前記植栽容器カバーの側面に設けられた植物の茎が挿通可能な１以上の隙間またはスリット(１００)が、縦または横または斜め方向の一文字であることを特徴とする請求項１または請求項２に記載の植栽容器カバー（１）。
【請求項４】
前記植栽容器カバーの側面に設けられた植物の茎が挿通可能な１以上の隙間またはスリット(１００)が、略上端から下端にかけて設けられていることを特徴とする請求項１から請求項３のいずれかに記載の植栽容器カバー（１）。
【請求項５】
前記植栽容器カバーの側面に設けられた植物の茎が挿通可能な１以上の隙間またはスリット(１００)が、上端から下端の長さの略2分の１以上の長さに設けられていることを特徴とする請求項１から請求項４のいずれかに記載の植栽容器カバー（１）。
【請求項６】
前記植栽容器カバーの側面に設けられた植物の茎が挿通可能な１以上の隙間またはスリット(１００)が、上端から下端の長さの略3分の２以上の長さに設けられていることを特徴とする請求項１から請求項５のいずれかに記載の植栽容器カバー（１）。
【請求項７】
前記植栽容器カバーが、複数の帯状の可撓性シート(１３０１)が並んで設けられることによって、前記植栽容器カバーの側面に設けられた植物の茎が挿通可能な１以上の隙間またはスリット(１００)が、形成されていることを特徴とする請求項１から請求項６のいずれかに記載の植栽容器カバー（１）。
【請求項８】
前記植栽容器カバーの側面に設けられた植物の茎が挿通可能な１以上の隙間またはスリット(１００)が、開閉可能であることを特徴とする請求項１から請求項７のいずれかに記載の植栽容器カバー（１）。
【請求項９】
前記複数の帯状の可撓性シート(１３０１)が一部を重なり合わせて、設けられており、前記隙間またはスリット(１００)が開閉可能であることを特徴とする請求項１から請求項８のいずれかに記載の植栽容器カバー（１）。
【請求項１０】
前記植栽容器カバーの側面に設けられた植物の茎が挿通可能な１以上の隙間またはスリット(１００)が、面ファスナーで開閉可能であることを特徴とする請求項１から請求項９のいずれかに記載の植栽容器カバー（１）。
【請求項１１】
前記植栽容器カバーが、植栽容器に巻いて設けることを特徴とする請求項１から請求項１０のいずれかに記載の植栽容器カバー（１）。
【請求項１２】
前記植栽容器カバーが、植栽容器カバーの形状または位置を維持し、支える支持材（１０２）に設けられていることを特徴とする請求項１から請求項１１のいずれかに記載の植栽容器カバー（１）。
【請求項１３】
植栽容器カバー（１）であって、３以上の目隠板棒材が、それぞれ、並んで支持材（１０２）に設けられており、
前記植栽容器カバーは、植物を植栽する植栽容器の外観を覆うカバーであって、
該目隠板棒材は板状または棒状であり、該支持材（１０２）は該目隠板棒材の位置を保持する機能を備え、
該目隠板棒材のうち、1以上の目隠板棒材は、支持材（１０２）に、開閉が可能に設けられた開閉板棒主材（１０１）であり、
前記支持材（１０２）に設けられた一連の並列の開閉板棒主材（１０１）である開閉柵材列（１０３）を構成し、
前記開閉板棒主材と隣の開閉板棒主材または目隠板棒材の間には、植物の茎が挿通可能な前記隙間を備えたことを特徴とする請求項１に記載の植栽容器カバー（１）。
【請求項１４】
前記植栽容器カバー（１）において、前記目隠板棒材が、単独で着脱可能であることを特徴とする、請求項１３に記載の植栽容器カバー（１）。
【請求項１５】
前記、支持材（１０２）に、開閉が可能に設けられた開閉板棒主材（１０１）が、支持材に引掛けて着脱可能に設けられることによって、開閉が可能であることを特徴とする請求項１３から請求項１４のいずれかに記載の植栽容器カバー（１）。
【請求項１６】
前記、支持材（１０２）に、開閉が可能に設けられた開閉板棒主材（１０１）が、支持材に嵌合して着脱可能に設けられることによって、開閉が可能であることを特徴とする請求項１３から請求項１５のいずれかに記載の植栽容器カバー（１）。
【請求項１７】
前記、支持材（１０２）に、開閉が可能に設けられた開閉板棒主材（１０１）が、支持材に面ファスナーを介して着脱可能に設けられることによって、開閉が可能であることを特徴とする請求項１３から請求項１６のいずれかに記載の植栽容器カバー（１）。
【請求項１８】
植栽容器カバー（１）であって、３以上の目隠板棒材が、それぞれ、並んで支持材（１０２）に設けられており、
前記植栽容器カバーは、植物を植栽する植栽容器の外観を覆うカバーであって、
該目隠板棒材は板状または棒状であり、該支持材（１０２）は該目隠板棒材の位置を保持する機能を備え、
該目隠板棒材のうち、1以上の目隠板棒材は、支持材（１０２）に、回動または回転し開閉が可能な回動開閉構造である主回動開閉構造による主回動軸（２０４）を介して設けられた開閉板棒主材（１０１）であり、
前記支持材（１０２）に設けられた一連の並列の開閉板棒主材（１０１）である開閉柵材列（１０３）を構成し、
前記開閉板棒主材と隣の開閉板棒主材または目隠板棒材の間には、植物の茎が挿通可能な前記隙間を備えたことを特徴とする請求項１３から請求項１７のいずれかに記載の植栽容器カバー（１）。
【請求項１９】
植栽容器カバー（１）であって、３以上の目隠板棒材が、それぞれ、並んで支持材（１０２）に設けられており、
前記植栽容器カバーは、植物を植栽する植栽容器の外観を覆うカバーであって、
該目隠板棒材は板状または棒状であり、該支持材（１０２）は該目隠板棒材の位置を保持する機能を備え、
該目隠板棒材のうち、３以上の目隠板棒材は、支持材（１０２）に、回動または回転し開閉が可能な回動開閉構造である主回動開閉構造による主回動軸（２０４）を介して設けられた開閉板棒主材（１０１）であり、
前記支持材（１０２）に設けられた一連の並列の開閉板棒主材（１０１）である開閉柵材列（１０３）を構成し
前記開閉板棒主材と隣の開閉板棒主材または目隠板棒材の間には、植物の茎が挿通可能な前記隙間を備えたことを特徴とする請求項１３から請求項１８のいずれかに記載の植栽容器カバー（１）。
【請求項２０】
植栽容器カバー（１）であって、前記植栽容器カバーは底面部を備えた容器状であり、少なくとも一面以上に、少なくとも３以上の目隠板棒材が、並んで支持材（１０２）に設けられており、
前記植栽容器カバーは、植物を植栽する植栽容器の外観を覆うカバーであって、
該目隠板棒材は板状または棒状であり、該支持材（１０２）は該目隠板棒材の位置を保持する機能を備え、
該目隠板棒材のうち、２以上の目隠板棒材は、支持材（１０２）に、回動または回転することにより開閉が可能な回動開閉構造である主回動開閉構造による主回動軸（２０４）を介して設けられた開閉板棒主材（１０１）であり、
前記支持材（１０２）に設けられた一連の並列の開閉板棒主材（１０１）は開閉柵材列（１０３）であり、
前記開閉板棒主材と隣の開閉板棒主材または目隠板棒材の間には、植物の茎が挿通可能な隙間を備えたことを特徴とする請求項１３から請求項１９のいずれかに記載の植栽容器カバー（１）。
【請求項２１】
前記、主回動開閉構造が、可撓性を有する可撓性シート(１３０１)であり、前記可撓性を有する可撓性シート(１３０１)を介して、前記開閉板棒主材（１０１）と支持材が回動または回転可能に設けられていることを特徴とする請求項１３から請求項２０のいずれかに記載の植栽容器カバー（１）。
【請求項２２】
前記、主回動開閉構造が、１以上の紐または鎖であり、前記紐または鎖を介して、前記開閉板棒主材（１０１）と支持材が回動または回転可能に設けられていることを特徴とする請求項１３から請求項２１のいずれかに記載の植栽容器カバー（１）。
【請求項２３】
前記、前記開閉板棒主材と隣の開閉板棒主材または目隠板棒材の間の隙間が、上部または下部側からもう一方の他方の側に設けられた支持材まで通じて貫通していることを特徴とする請求項１３から請求項２２のいずれかに記載の植栽容器カバー（１）。
【請求項２４】
前記開閉柵材列（１０３）に設けられた開閉板棒主材（１０１）あるいは目隠板棒材が、曲面状に設けられていることを特徴とする請求項１３から請求項２３のいずれかに記載の植栽容器カバー（１）。
【請求項２５】
前記開閉柵材列（１０３）が、前記植栽容器の１方向以上を覆うことを特徴とする請求項１３から請求項２４のいずれかに記載の植栽容器カバー（１）。
【請求項２６】
前記開閉柵材列（１０３）が、前記植栽容器の全周を覆うことを特徴とする請求項１３から請求項２５に記載の植栽容器カバー（１）。
【請求項２７】
前記支持材に設けられた１以上の開閉板棒主材が、連結されることによって一つの植栽容器カバーを構成することを特徴とする請求項１３から請求項２６に記載の植栽容器カバー（１）。
【請求項２８】
前記支持材が、曲げ可能であることを特徴とする請求項６から請求項２７に記載の植栽容器カバー（１）。
【請求項２９】
前記植栽容器カバー（１）において、前記開閉板棒主材（１０１）が、２以上に分割されて回動回転開閉することが可能であることを特徴とする、請求項１３から請求項２９のいずれかに記載の植栽容器カバー（１）。
【請求項３０】
前記植栽容器カバー（１）において、前記開閉板棒主材（１０１）の主回動軸（２０４）が前記開閉板棒主材（１０１）の長手方向であることを特徴とする、請求項１３から請求項２９のいずれかに記載の植栽容器カバー（１）。
【請求項３１】
前記植栽容器カバー（１）において、前記開閉板棒主材（１０１）の主回動軸（２０４）が前記開閉板棒主材（１０１）の短手方向であることを特徴とする、請求項１３から請求項３０のいずれかに記載の植栽容器カバー（１）。
【請求項３２】
前記植栽容器カバー（１）において、前記開閉板棒主材（１０１）の主回動軸（２０４）が前記開閉板棒主材（１０１）の略中央に設けられていることを特徴とする、請求項１３から請求項３１のいずれかに記載の植栽容器カバー（１）。
【請求項３３】
前記植栽容器カバー（１）において、前記開閉板棒主材（１０１）が、主回動軸（２０４）の他に、該開閉板棒主材（１０１）が曲折する１以上の回動軸Ｂ（１４５）を設け、該回動軸Ｂ（１４５）を介した目隠板棒材である、連結板棒材（１５０３）を設けていることを特徴とする、請求項１３から請求項３４のいずれかに記載の植栽容器カバー（１）。
【請求項３４】
前記植栽容器カバー（１）の、２以上の前記開閉板棒主材（１０１）が、連動して開閉可能であることを特徴とする、請求項１３から請求項３３のいずれかに記載の植栽容器カバー（１）。
【請求項３５】
前記開閉板棒主材（１０１）あるいは連結板棒材（１５０３）が並んで設けられた一連の柵状構造が、支持材（１０２）ごとまとめて一つの回動軸を持つ回動構造によって、回動可能である全回動軸（１００１）で柵状構造全体が開閉する、全開閉構造を備えたことを特徴とする請求項１３から請求項３４のいずれかに記載の植栽容器カバー（１）。
【請求項３６】
植栽容器カバー（１）の支持材または目隠板棒材または開閉板棒主材に、前記植栽容器と係止可能の吊り部（２０３）を設けたことを特徴とした請求項1３から請求項３５に記載の植栽容器カバー（１）。
【発明の詳細な説明】
【技術分野】
【０００１】
本発明は、植木鉢などの植栽容器カバー使用目的の自由度を高めた植栽容器カバーの構造に関するものである。
【背景技術】
【０００２】
従来、鉢などの植栽容器を覆う鉢カバー、あるいは植栽容器カバーの使用方法としては、植栽容器を上から入れて出すという物に概ね限定されており、一般的には、植栽容器は容器の上に植栽するものが一般的であり、側面から植栽する植栽容器を想定した鉢カバーが求められている。
【０００３】
ここで、植栽容器カバーの役割としては、例えば、夏の暑さ、直射日光によって鉢が熱せられ、植栽容器内が蒸れて、根を傷める、所謂鉢蒸れという植物に対する不具合や、冬の鉢の凍結防止としての保温効果や、寒風が直接鉢に当たることを防ぐ効果がある。
また、適度に土温を温かく維持することによって、植物の生育を高める効果もある。
また、植栽容器の装飾効果もある。
【０００４】
そうした様々な植物にとって有用な鉢カバーであるが、側面から植栽する植栽容器用の鉢カバーが求められており、例えば、側面から植栽可能な植栽容器として、本願出願者による特許取得製品である、「筒状緑花ユニット」（特許第5495198号）があり、そうした側面から植栽可能な植栽容器に装着可能な植栽容器カバーが求められている。
また、側面から植栽される鉢カバーにおいては、鉢カバーを植栽容器に装着した状態で側面への植え替えが可能であったり、容易であったり、また、側面に植栽された状態の植栽容器に、装着可能な鉢カバーが求められている。
【０００５】
このような上記問題に鑑みて、従来技術として、例えば「鉢カバー」が提案され、公知技術となっている（特許文献１参照）。具体的には、長方形の薄板状本体１の一端にきのこ状の係合突部２を形成し、他端には細幅の係合孔３を形成する。これを鉢カバーとして使用するときには、薄板状本体１を筒状に丸め、係合突部２の頭部２ｂを折り曲げて頸部２ａとほぼ同じ幅にして係合孔３に挿入し、筒の内側で頭部２ｂの折り曲げを伸ばして抜け止めにするという形態であるが、側面から植栽される植栽容器には対応しておらず、前記問題の解決に至っていない。
【０００６】
また、別の従来技術として、例えば「植木鉢カバー」が提案され、公知技術となっている（特許文献２参照）。具体的には、可撓性合成樹脂で成型する植木鉢カバーの筒状側面部は縦折線で蛇腹状の多数の襞を構成すると共に、上記側面部の上端に各襞に設けた斜め折線で外側に折り返った張り出し部を設け、底面は受皿状の底面板で閉塞するという手段を採用したもので、側面部が蛇腹状の襞で構成されているから、弾性によって各襞の開き角度を変化させることで開口径が拡開または閉塞する形態であるが、側面から植栽される植栽容器には対応しておらず、前記問題の解決に至っていない。
【０００７】
また、別の従来技術として、例えば本願申請者による、「収納構造」が提案され、本願出願時点ではまだ公知技術とはなっていない（特許文献３参照）。具体的には、柵状板状材が、それぞれ、略並列に支持材に回動開閉可能に設けられている収納構造であるが、回動開閉可能な板状材の隙間から、植物の茎が挿出可能な隙間があることには対応しておらず、あるいは、側面に植栽された植栽容器にセットについての構成には述べておらず、前記問題の解決には至っていない。
【０００８】
しかしながら、発明者は、より広い応用、活用範囲、あるいは多彩な部材、構造、及び、より発展的な部材、構造とその製造方法を開発するといった課題も追及すべきといえる。
【０００９】
そこで、本願発明者は、これらの問題を解決すべく、植栽容器カバーの側面にスリットまたは隙間を持たせることの効果に着目をし、その自由度を活用することにより得られる効果的な活用ができる点に着目し、本願による、「植栽容器カバー」の提案に至ったものである。
【先行技術文献】
【特許文献】
【００１０】
【特許文献１】特開平９−３２７３５８号
【特許文献２】特開平１０−３３３３８号
【特許文献３】特願２０１7−２０４８２０号
【発明の概要】
【発明が解決しようとする課題】
【００１１】
これら従来技術にある植栽容器カバーは、側面から植栽可能な植栽容器用の植栽容器カバーについて記載されておらず、側面から植栽する植栽容器に植栽できる植栽容器カバーや、側面から植栽する植栽容器に植栽できる植栽容器に植物が植栽された状態で覆うことができる鉢カバーが必要であるという課題がある。
【００１２】
本発明は上記問題点に鑑み、側面に植栽可能な植栽容器用の植栽容器カバーの提供を図る。
【課題を解決するための手段】
【００１３】
本発明は、植栽容器カバーであって、
前記植栽容器カバーは、植物を植栽する植栽容器の外観を覆うカバーであって、
前記植栽容器カバーの側面には、植物の茎が挿通可能な１以上の隙間またはスリットを備えた植栽容器カバーである。
【００１４】
また、本発明は前記植栽容器カバーが、可撓性シートで構成された手段を採用することもできる。
【００１５】
また、本発明は前記植栽容器カバーの側面に設けられた植物の茎が挿通可能な１以上の隙間またはスリットが、縦または横または斜め方向の一文字で構成された手段を採用することもできる。
【００１６】
また、本発明は前記植栽容器カバーの側面に設けられた植物の茎が挿通可能な１以上の隙間またはスリットが、略上端から下端にかけて設けられて構成された手段を採用することもできる。
【００１７】
また、本発明は、前記植栽容器カバーの側面に設けられた植物の茎が挿通可能な１以上の隙間またはスリットが、上端から下端の長さの略2分の１以上の長さに設けられて構成された手段を採用することもできる。
【００１８】
また、本発明は、前記植栽容器カバーの側面に設けられた植物の茎が挿通可能な１以上の隙間またはスリットが、上端から下端の長さの略3分の２以上の長さに設けられて構成された手段を採用することもできる。
【００１９】
また、本発明は、前記植栽容器カバーが、複数の帯状の可撓性シートが並んで設けられることによって、前記植栽容器カバーの側面に設けられた植物の茎が挿通可能な１以上の隙間またはスリットが、形成されて構成された手段を採用することもできる。
【００２０】
また、本発明は、前記植栽容器カバーの側面に設けられた植物の茎が挿通可能な１以上の隙間またはスリットが、開閉可能で構成された手段を採用することもできる。
【００２１】
また、本発明は前記複数の帯状の可撓性シートが一部を重なり合わせて、設けられており、前記隙間またはスリットが開閉可能で構成された手段を採用することもできる。
【００２２】
また、本発明は、前記植栽容器カバーの側面に設けられた植物の茎が挿通可能な１以上の隙間またはスリットが、面ファスナーで開閉可能で構成された手段を採用することもできる。
【００２３】
また、本発明は、前記植栽容器カバーが、植栽容器に巻いて設けて構成された手段を採用することもできる。
【００２４】
また、本発明は、前記植栽容器カバーが、植栽容器カバーの形状または位置を維持し、支える支持材に設けられて構成された手段を採用することもできる。
【００２５】
また、本発明は、植栽容器カバーであって、３以上の目隠板棒材が、それぞれ、並んで支持材に設けられており、前記植栽容器カバーは、植物を植栽する植栽容器の外観を覆うカバーであって、該目隠板棒材は板状または棒状であり、該支持材は該目隠板棒材の位置を保持する機能を備え、該目隠板棒材のうち、1以上の目隠板棒材は、支持材に、開閉が可能に設けられた開閉板棒主材であり、前記支持材に設けられた一連の並列の開閉板棒主材である開閉柵材列を構成し、前記開閉板棒主材と隣の開閉板棒主材または目隠板棒材の間には、植物の茎が挿通可能な前記隙間を備えて構成された手段を採用することもできる。
【００２６】
また、本発明は、前記植栽容器カバーにおいて、前記目隠板棒材が、単独で着脱可能に構成された手段を採用することもできる。
【００２７】
また、本発明は、前記、支持材に、開閉が可能に設けられた開閉板棒主材が、支持材に引掛けて着脱可能に設けられることによって、開閉が可能に構成された手段を採用することもできる。
【００２８】
また、本発明は、前記、支持材に、開閉が可能に設けられた開閉板棒主材が、支持材に嵌合して着脱可能に設けられることによって、開閉が可能に構成された手段を採用することもできる。
【００２９】
また、本発明は、前記、支持材に、開閉が可能に設けられた開閉板棒主材が、支持材に面ファスナーを介して着脱可能に設けられることによって、開閉が可能に構成された手段を採用することもできる。
【００３０】
また、本発明は、植栽容器カバーであって、３以上の目隠板棒材が、それぞれ、並んで支持材に設けられており、前記植栽容器カバーは、植物を植栽する植栽容器の外観を覆うカバーであって、該目隠板棒材は板状または棒状であり、該支持材は該目隠板棒材の位置を保持する機能を備え、該目隠板棒材のうち、1以上の目隠板棒材は、支持材に、回動または回転し開閉が可能な回動開閉構造である主回動開閉構造による主回動軸を介して設けられた開閉板棒主材であり、前記支持材に設けられた一連の並列の開閉板棒主材である開閉柵材列を構成し、前記開閉板棒主材と隣の開閉板棒主材または目隠板棒材の間には、植物の茎が挿通可能な前記隙間を備えて構成された手段を採用することもできる。
【００３１】
また、本発明は、前記、主回動開閉構造が、可撓性を有する可撓性シートであり、前記可撓性を有する可撓性シートを介して、前記開閉板棒主材と支持材が回動または回転可能に設けられて構成された手段を採用することもできる。
【００３２】
また、本発明は、前記、主回動開閉構造が、１以上の紐または鎖であり、前記紐または鎖を介して、前記開閉板棒主材と支持材が回動または回転可能に設けられて構成された手段を採用することもできる。
【００３３】
また、本発明は、前記、前記開閉板棒主材と隣の開閉板棒主材または目隠板棒材の間の隙間が、上部または下部側からもう一方の他方の側に設けられた支持材まで通じて貫通して構成された手段を採用することもできる。
【００３４】
また、本発明は、前記開閉柵材列に設けられた開閉板棒主材あるいは目隠板棒材が、曲面状に設けられて構成された手段を採用することもできる。
【００３５】
また、本発明は、前記開閉柵材列が、前記植栽容器の１方向以上を覆う構成とされた手段を採用することもできる。
【００３６】
また、本発明は、前記開閉柵材列が、前記植栽容器の全周を覆う構成とされた手段を採用することもできる。
【００３７】
また、本発明は、前記支持材に設けられた１以上の開閉板棒主材が、連結されることによって一つの植栽容器カバーを構成された手段を採用することもできる。
【００３８】
また、本発明は、前記支持材が、曲げ可能である構成とされた手段を採用することもできる。
【００３９】
また、本発明は、前記植栽容器カバーにおいて、前記開閉板棒主材が、２以上に分割されて回動回転開閉することが可能である構成とされた手段を採用することもできる。
【００４０】
また、本発明は、前記植栽容器カバーにおいて、前記開閉板棒主材の主回動軸が前記開閉板棒主材の長手方向である構成とされた手段を採用することもできる。
【００４１】
また、本発明は、前記植栽容器カバーにおいて、前記開閉板棒主材の主回動軸が前記開閉板棒主材の短手方向である構成とされた手段を採用することもできる。
【００４２】
また、本発明は、前記植栽容器カバーにおいて、前記開閉板棒主材の主回動軸が前記開閉板棒主材の略中央に設けられている構成とされた手段を採用することもできる。
【００４３】
また、本発明は、前記植栽容器カバーにおいて、前記開閉板棒主材が、主回動軸の他に、該開閉板棒主材が曲折する１以上の回動軸Ｂを設け、該回動軸Ｂを介した目隠板棒材である、連結板棒材を設けている構成とされた手段を採用することもできる。
【００４４】
また、本発明は、前記植栽容器カバーの、２以上の前記開閉板棒主材が、連動して開閉可能である構成とされた手段を採用することもできる。
【００４５】
また、本発明は、前記開閉板棒主材あるいは連結板棒材が並んで設けられた一連の柵状構造が、支持材ごとまとめて一つの回動軸を持つ回動構造によって、回動可能である全回動軸で柵状構造全体が開閉する、全開閉構造を備えた構成とされた手段を採用することもできる。
【００４６】
また、本発明は、植栽容器カバーの支持材または目隠板棒材または開閉板棒主材に、前記植栽容器と係止可能の係止部を設けた構成とされた手段を採用することもできる。
【発明の効果】
【００４７】
本発明に係る植栽容器カバーによれば、側面から植栽可能な植栽容器への植栽容器カバーを提供し、植物の生育の助長、枯死予防、及び、装飾性のアップが図ることができる。
【００４８】
また、係る植栽植物を係る植栽容器カバーから出すことによって、係る植物を自由に日光に当てることが可能であり、また、係る植栽容器カバー内に入れることによって、特に寒冷地の霜などから係る植栽植物を守ることが可能となる。
【図面の簡単な説明】
【００４９】
【図１】本発明に係る植栽容器カバーの回動開閉構成の例の斜視図
【図２】本発明に係る植栽容器カバーと植栽容器への植栽状態を示す断面図
【図３】本発明に係る植栽容器カバーのカバー方向を限定した構成の例の斜視図
【図４】本発明に係る植栽容器カバーの水平及び斜め回動の構成の例の斜視図及び断面図
【図５】本発明に係る植栽容器カバーの隙間の片側が開放の例他の正面図及び斜視図
【図６】本発明に係る図５の構成及び連結板棒材の構成の断面図。
【図７】本発明に係る開閉板棒主材の回動開閉構造の構成の各種バリエーションの例説明図
【図８】本発明に係る着脱可能な開閉構造の構成の例の説明図
【図９】本発明に係る連結開閉具の実施例断面図。
【図１０】本発明に係る開閉板棒主材の分割の実施例斜視図。
【図１１】本発明に係る全回動軸の実施例斜視図。
【図１２】本発明に係る開閉柵材列の連結の構成の例の斜視図。
【図１３】本発明に係る可撓性シートの構成の例の斜視図。
【図１４】本発明に係る可撓性シートの巻きタイプの構成の例の斜視図。
【発明を実施するための形態】
【００５０】
本発明である植栽容器カバー１は、植物を植栽する植栽容器の外観を覆うカバーであって、係る植栽容器カバーの側面には、植物の茎が挿通可能な１以上の隙間またはスリット１００を備え、係る隙間またはスリット１００から、植物を自由に出したり入れたりすることが可能で、また、隙間またはスリットの開閉により、植物の植え替えを容易に可能とするものである。
【００５１】
また、係る植栽容器カバー1の材質は、可撓性を有する可撓性シートの構成でも良いし、あるいは、連続する板や棒状の構成でも良く、植栽容器カバー１の面の一部を、目隠し部材である目隠板棒材１０１で構成し、係る目隠板棒材１０１に回動開閉機能を備え、係る回動開閉機能部を持った開閉板棒主材１０１のそれぞれの隣の開閉板棒主材１０１または目隠板棒材との隙間から植物を自由に出したり入れたりすることが可能で、また、係る開閉板棒主材１０１の開閉により、植物の植え替えを容易に可能とする構成であってもよい。
【００５２】
係る植栽植物を係る植栽容器カバーから出すことによって、係る植物を自由に日光に当てることが可能であり、また、係る植栽容器カバー内に入れることによって、特に寒冷地の霜などから係る植栽植物を守ることが可能となる。
【００５３】
本発明である植栽容器カバー１は、可撓性を有するシート状で隙間またはスリットを備えているか、または、回動開閉可能な開閉板棒主材１０１を設けており、係る開閉板棒主材１０１の回動回転により、例えば植栽容器カバー１の略鉛直面から、自由に植栽植物２０２を取り出し、植え替え可能で、且つ、係る植栽植物２０２の緑花を、開閉板棒主材１０１と隣接する開閉板棒主材１０１または柵状材との隙間から挿出可能に緑花で装飾可能であることが可能であることを最大の特徴とする。以下、実施例を図面に基づいて説明する。なお、本実施例で示される植栽容器カバー１の全体形状及び各部の形状は、下記に述べる実施例に限定されるものではなく、本発明の技術的思想の範囲内、即ち、同一の作用効果を発揮できる形状及び寸法の範囲内で変更することができるものである。
【００５４】
図１は、円形状の支持材１０２に開閉板棒主材１０１が円状に設けられた植栽容器カバー１の構成の例である。
【００５５】
図１(c)の様に、係る植栽容器カバー１の内側には、植栽容器が設けられ、係る植栽容器は、例えば、本願発明者による垂直な面に植栽可能な、特許商品のファスナーグリーンにより、垂直な面に植栽された植物２０２が、係る開閉板棒主材１０１を開閉して係る植栽容器に植栽されて、係る開閉板棒主材１０１と開閉板棒主材１０１の隙間から、植栽された花が挿出された状態を示している。
【００５６】
このように、垂直な面に植物２０２を植栽したり植え替えたりする際には、図１(ｄ)のような植栽植物２０２を、根１０４ごと植え替えなければならないが、係る構成によれば、植栽容器カバー１を着けた状態で、任意の場所の緑花を植え替えることが可能となり、且つ、植え替えた後も、柵状の植栽容器カバー１から挿出された緑花を楽しむことが可能となり、有用である。
【００５７】
図１においては、全ての開閉板棒主材１０１が回動開閉可能な構成であるが、係る一部の目隠板棒材のみが開閉可能な開閉板棒主材１０１で、その他の目隠板棒材は固定の目隠板棒材としても良い。
【００５８】
図１(ａ)は、係る構成において、全ての開閉板棒主材１０１が閉じた状態である。
図１(ｂ)は、係る構成において、全ての開閉板棒主材１０１が開いた状態である。
図１(ｃ)は、全ての開閉板棒主材１０１が閉じた状態であり、係る植栽容器カバー１には、植栽容器と係る植栽容器に植栽された緑花が設けられて、係る開閉板棒主材１０１の間から緑花が挿出されている状態である。
図１（ｃ）の様に植栽される植栽植物２０２は、図１（ｂ）の様に開閉板棒主材１０１を開くことにより、係る植栽植物２０２が枯れた時にでも、植え替えることがが可能となる。
【００５９】
また、図２は、植栽容器に植栽植物２０２が植栽されて係る植栽容器内の培養基材２０１に根１０４が張り、緑花が係る植栽容器カバー１の目隠し材である、開閉板棒主材１０１と隣の開閉板棒主材１０１または、柵用板状材との隙間から挿出された状態を示した断面図であり、係る植栽容器カバー１の開閉板棒主材１０１が開閉することによって、根１０４ごと植栽植物２０２を植え替えることが可能であるとともに、植栽した植物２０２が、例えば花木系の植物２０２などで、幹や茎が太く成長するタイプの植物２０２であっても、係る開閉板棒主材１０１の開量を調整することによって、植物２０２の成長の太さに合わせることも可能であり、有用である。
【００６０】
また、支持材１０２には、吊り部２０３が設けられた構成としてもよく、係る吊り部２０３に植栽容器が掛けられることによって、可撓性シート１３０１製の植栽容器の形状を整えると合わせて、係る鉢カバーの倒れ防止にもなっており、強風時等も安心であり、有用である。
【００６１】
尚、図２のドット部は、培養基材２０１を示している。
また、吊り部２０３には、係る植栽容器を吊り下げて設けることも可能である。
【００６２】
図３は、図３（ｃ）のように、鉛直面方向に直角に交わった２面の壁１０７の角に設置された植栽容器を、２面に設けられた開閉板棒主材１０１で、形成された植栽容器カバー１が壁１０７側ではない側を覆っている状態を示している。
係る植栽容器カバー１が覆う方向は、係る植栽容器の形状や設置する場所によって、１面でも良いし、２面でも良いし、更にそれ以上でも良い。
【００６３】
図３（ａ）は、係る植栽容器カバー１の開閉板棒主材１０１が全て開いた状態を示しており、図３（ｂ）は、係る植栽容器カバー１の内側に、垂直に交わる壁１０７と係る植栽容器カバー１に囲まれて植栽容器が設置された状態を示している。
尚、係る植栽容器は、鉛直面方向に植栽可能な植栽容器が設置されている。
【００６４】
図３（ｃ)は、係る植栽容器カバー１の開閉板棒主材１０１が全て閉じた状態を示しており、係る植栽容器の略垂直面に植栽された緑花が係る開閉板棒主材１０１の間から挿出されている。
また、図面には示していないが、係る植栽容器カバー１の内側の係る植栽容器を設置する部分に、地面から係る植栽容器の底を地面から浮かして載置可能とする台を設けて、また、係る台には水抜きを設けて、水はけを改善した構成としても良いし、室内用などには、水受けを設置しても良い。
【００６５】
図４は、開閉板棒主材１０１が、横方向または斜め方向に設けられた構成の例である。
図４（ａ）は、上部が開口した箱状の植栽容器カバー１の前面部に開閉板棒主材１０１が設けられており、それぞれの開閉板棒主材１０１の主回動軸２０４方向が、水平方向に設けられている構成である。
図４（ｂ）が図４（ａ）の構成の断面図となっており、係る植栽容器カバー１に植栽容器を入れて、係る開閉板棒主材１０１を開閉することによって植物２０２を植え替え可能で、開閉板棒主材１０１と開閉板棒主材１０１の隙間から植物２０２を挿出する構成の例である。
図４（ｃ）は、係る開閉板棒主材１０１が、斜め方向に設けられている構成の例である。
図４（ｄ）は、図４（ａ）の構成において、前面と後面に開閉板棒主材１０１が、設けられている構成の例である。
【００６６】
図５は、開閉板棒主材１０１が、縦方向に設けられており、図５（ａ）は、係る構成の例の正面図であり、主回動軸２０４が開閉板棒主材１０１の短尺の上辺に設けられており、係る主回動軸２０４にて係る開閉板棒主材１０１は回動開閉をする構成の例である。また、風等で勝手に係る開閉板棒主材１０１が開閉しないように、開閉を制御する、開閉留め具５０９を設けても良い。
【００６７】
図５（ｂ）は、図５（ａ）の構成において底の無い構成であり、開閉板棒主材１０１をと開閉板棒主材１０１の隙間が、下側から上側の支持材１０２まで、障害物がなく隙間が通っている為、例えば、植栽容器の上から被せるように係る植栽容器カバー１を植栽容器にセット可能な構成の例である。上から被せるように係る植栽容器カバー１をセットできることにより、予め鉛直面に植え込んだ状態でも植栽容器をセットすることが可能であり、有用である。
【００６８】
また、図面には示していないが、係る主回動軸２０４を図５（ａ）のように上辺ではなく、下辺に設けても良く、下辺に主回動軸２０４を設けることによって、例えば全ての開閉板棒主材１０１を開いた状態で係る植栽容器をセットした後に、開閉板棒主材１０１を閉じることも可能となり、有用である。
【００６９】
図５（ｃ）は、開閉柵材列１０３の下側に支持材１０２が設けられていない構成において、図１の様に、開閉板棒主材１０１の主回動軸２０４方向が鉛直方向の構成の例であり、図５（ｂ）同様に、上から被せるように係る植栽容器カバー１をセットできることにより、予め鉛直面に植え込んだ状態でも植栽容器をセットすることが可能な構成となっており、本図の構成においては、全ての目隠し板棒材が開閉板棒主材１０１であるが、数本おきに固定の目隠し板棒材あるいは、支柱を設けることによって、固定した目隠板棒材が係る植栽容器カバー１を支える構成としても良い。  
【００７０】
図６は、図５の構成と、関連する構成の例の断面図であり、図６（ａ）は、図５（ａ）の構成の例の断面図で底面部１０９を備えた構成の例であり、図６（ｂ）は、図５（ｂ）の構成の断面図であり、底面部１０９の無い構成の例である。
また、図６（ｃ）は、図６（ａ）の構成の開閉板棒主材１０１が、回動軸Ｂ１４５にて曲折される構成の例であり、回動軸Ｂ１４５にて曲折し、例えば、係る回動軸Ｂ１４５にて連結された開閉板棒材である連結板棒材１５０３だけを開けることにより、開閉量を少なくすることができ、係る収納容器１の前のスペースが狭くても良い、回動軸Ｂ１４５より下の部分だけ開けることも可能である等、使用性の向上と自由度の幅が広がり有用である。また、係る連結板棒材１５０３は、２枚以上設けても良い。
【００７１】
図7は、本発明にかかる回動開閉構造の構成のバリエーションの例を示しており、図７（ａ）は回動開閉構造が蝶番３０１の場合の実施例を示した状態図、図７（ｂ）は回動開閉構造がオス形状部３０２とメス形状部３０３の嵌め合いによる構成の例を示した状態図であり、図７（ｃ）は、図７（ｂ）に示される回動開閉構造の構成の分解図である。
【００７２】
図７（ａ）については、蝶番３０１にて開閉板棒主材１０１を回動開閉できる構造を示しており、開閉板棒主材１０１は、支持材１０２に蝶番３０１を介して取り付けられている状態図である。尚、この蝶番３０１は、開けたところで停止するような開量を調整できる蝶番３０１を採用しても良い。
【００７３】
図７（ｂ）については、開閉板棒主材１０１と支持材１０２のオス形状部オス形状部３０２とメス形状部３０３の嵌め合わせによって回動開閉構造が構成されている。本実施例においては、開閉板棒主材１０１に設置されたオス形状部３０２を支持材１０２に設置されたメス形状部３０３に嵌め合わせることによって、回動開閉できる仕様を示している。
【００７４】
尚、開閉板棒主材１０１の嵌め合い部は、図面では開閉板棒主材１０１の端部であるが、真ん中の方で嵌め合いをさせても良い。この場合、開閉板棒主材１０１は、隣の開閉柵板主材が閉じていても、３６０°回転させるような仕様とすることもできる。
尚、該オス形状部３０２は、代わりに棒材をメス形状部３０３に差し込むような仕様でも可能である。
また、オス形状部３０２とメス形状部３０３の設置形状部は逆でも良い。
また、開閉板棒主材１０１の回動開閉構造については、この他にも、電動力を使用する開閉構造等であってもよく、同一の作用効果を発揮できる範囲内で変更することができるものである。
【００７５】
図７（ｄ）から図７（ｉ）は、係る回動開閉構造の構成のバリエーションの例を、１枚の開閉板棒主材１０１と支持材１０２で係る構成を示した図である。
図７（ｄ）は、開閉板棒主材１０１が、シート状の吊下げシート７０７、または紐状の吊り下げ紐、または鎖状の吊下げ鎖７０７を介して支持材１０２に設けられ、それぞれ回動開閉可能に設けられている構成の例の断面図であり、図7（ｅ）が図７（ｄ）の構成で、回動して開いた状態を示しており、図７（ｆ）は係る吊下げシート７０７の構成の例の正面図、図７（ｇ）は係る吊下げ紐７０７の構成の例の正面図を示している。
また、図７（ｈ）は、係る吊下げシート７０７、または吊り下げ紐、または吊下げ鎖７０７が、支持材１０２に挟持して設けられた構成の例を示しており、図７（ｈ）は吊り下がった状態、図７（ｉ）は開いた状態を示している。
特に、係る吊下げシート７０７または吊下げ紐７０７の構成は、コスト的にメリットがあり、有用である。
また、係る吊下げシート７０７、吊り下げ紐７０７、吊下げ鎖７０７と支持材の本図の構成については、係る構成の例の一例であり、その係止方法については、本発明と同一の作用効果を発揮できる範囲内で限定しない。
また、また、係る吊下げシート７０７、吊り下げ紐７０７、吊下げ鎖７０７の構成する数についても、１つでも２つでもあるいはそれ以上でも良く、限定せず、また、係る材質についても、ビニールでも、ポリエステルやポリアミドやポリプロピレン等の樹脂でも、布でも、ゴムでも、金属でも良く、本発明と同一の作用効果を発揮できる範囲内で限定しない。
【００７６】
図８は、本発明にかかる開閉板棒主材１０１が、支持材１０２に着脱可能に設けられる構成の例を示している。
図８（ａ）及び図８（ｂ）は、それぞれの開閉板棒主材１０１と支持材１０２の構成の例を、１枚の開閉板棒主材１０１で係る構成を示した断面図である。
図８（ａ）は、支持材１０２に、開閉板棒主材１０１を引掛けて吊り下げて着脱可能に設けられる構成の例であり、開閉板棒主材１０１が支持材１０２に引掛けて吊り下げて着脱可能に設けられている構成の実施例である。
図８（ｂ）は、支持材１０２に、開閉板棒主材１０１の凸部を支持材の凹部に嵌合して差し込んむことによって、開閉板棒主材１０１を着脱可能に支持材１０２に設けられた構成の例であり、図８（ｃ）は、支持材１０２に設けられた開口部を備えたスリット穴に、開閉板棒主材１０１を設けて、主回動軸２０４を設けた構成の例の説明図であり、主回動軸204方向から見た図である。
係る構成においては、係る支持材に設けられたスリット穴には、係るスリット穴の開口部から係る開閉板棒主材１０１の主回動軸２０４となる凸部を差し入れて嵌め合わせて設けることによって、開閉柵板主材を支持材に設ける構成の例である。
尚、係る開閉板棒主材１０１を支持材と引掛けて設ける構成、あるいは、嵌合させて設ける構成の本図の説明の構成の例は、実施形態の一例であり、本発明と同一の作用効果を発揮できる範囲内で限定しない。
【００７７】
図９は、開閉板棒主材１０１がまとめて開閉可能な構成の実施例の縦断面図であり、図９（ａ）は開状態、図９（ｂ）は閉状態を示しており、各開閉板棒主材１０１を連結し、まとめて開閉可能である連結開閉具７０９を押したり引いたりすることによって、連結された開閉板棒主材１０１を開閉可能な仕様となっている。係る開閉板棒主材１０１を、まとめて開いて、植栽植物２０２の植え込み部の調整や、植え替えをまとめて実施することが容易になる。
【００７８】
また、係る連結開閉具７０９は、本実施例のような各開閉板棒主材１０１に接続した取っ手でも良いし、平行クランク機構を用いても良いし、図１に示されるような円状に設けられた開閉板棒主材１０１の場合、ポール式やコード式等のブラインドで使用されている方式など、同一の作用効果を発揮できる範囲内で変更することができるものである。
【００７９】
図１０は、開閉板棒主材１０１が分割して開閉する実施例である。係る仕様の実施例によれば、開閉板棒主材１０１を、より軽く開閉することが可能であり、特に、開閉板棒主材１０１の長さが長いような場合は、有用であり、係る実施例においては、２分割であるが、更に複数分割できるようにしても良い。
【００８０】
図１１は、全回動軸１００１の実施例の斜視図であり、図１１（ａ）は全回動軸１００１により一連の開閉板棒主材１０１が閉じた状態、図１１（ｂ）は、開いた状態を示しており、全回動軸１００１は、１０（ｂ）の様に、開閉板棒主材１０１が支持材１０２に回動回転自由に設けられており、係る支持材１０２ごとまとめて回動する回動軸である。係る開閉板棒主材１０１が、収納物９０９の出し口あるいは入れ口となる。係る仕様によれば、例えば、全回動軸１００１によって一連の開閉板棒主材１０１を開けた状態で、例えば、培養基材２０１が入って重い植栽容器９０９を、上まで持ち上げずに、係る植栽容器カバー１にセットすることが可能となり、お年寄りや、腰を痛めるリスクを軽減させる効果がある。
【００８１】
図１２については、開閉柵材列１０３の連結によって一つの植栽容器カバー１を形成する構成であり、図１２（ａ１）及び、図１２（ａ２）は２つの回動開閉可能な開閉板棒主材１０１が支持材１０２に設けられた開閉柵材列１０３であり、図１２（ａ１）は開閉板棒主材１０１が開いた状態、図１２（ａ２）は閉じた状態を示している。
【００８２】
係る開閉柵材列１０３は、図１２（ｂ１）及び図１２（ｂ２）に示されるように、支持材１０２に設けられた連結オス部材１３１及び連結メス部材１３２によって連結される構成の例を示しており、図１２（ｂ１）は連結前の状態を示しており、係るオス部材が連結メス部材１３２に挿入されることによって、図１２（ｂ２）に示されるように、２つの開閉柵材列１０３が連結される連結部を示す構成の例となっている。
【００８３】
図１２（ｃ１）は、係る２つの開閉柵材列１０３が連結された状態の斜視図であり、また、図１２（ｃ２）は、係る連結された２つの開閉柵材列１０３が、Ｌ字に設けられた状態の斜視図であり、図１２（ｃ２）は、係る連結された開閉柵材列１０３が、半円状に連結された構成であり、図面には示されていないが、図１に示されるように、円状に設けてもよく、また、図面には示されていないが、高さを変えたり、色を変えてもよく、植栽容器９０９の形状やサイズに合わせて、自由なアレンジが可能である。
【００８４】
尚、本構成における係る連結メス部材１３２及び連結オス部材１３１である開閉柵材列１０３の連結構造は、この他にも、例えば、双方の連結メス部材１３２に棒を入れるような構造も可能であるし、双方の連結オス部材１３１を、パイプ状の連結部材に挿入して結合するような方法でも、その他、嵌合でも良いし、結束、磁石、面ファスナー、ボルト７０８による連結などでも良く、その連結構造の手段は本発明と同一の作用効果を発揮できる範囲内でその方向を限定しない。
【００８５】
図１３は、筒状の可撓性シート１３０１の側面に、複数のスリット１００が設けられた構成であり、図１３(a)は係る筒状の側面に設けられた上部から下部にかけて設けられたスリット１００が、上部と下部付近で閉じている構成となっている。
尚、係るスリットの長さは、本図の様に係る植栽容器カバー１の上部付近から下部付近まで設けられていることにより、中に設置された側面に植栽可能な植栽容器のどの部分にも植栽可能であるという自由度が増し、望ましいが、係る植栽容器のデザイン上の理由などによっては、植物の根の出し入れが可能なサイズのスリット１００でも良く、あるいは、係る植栽容器カバーの半分程度の長さのスリット１００としても良い。
また、図１３(b)は、図１３(a)の構成において設けられたスリット１００が、開いた状態を示しており、係る開いたスリット１００から、植栽植物２０２を中の植栽容器９０９に植え込むことが可能な構成であり、係る植栽植物２０２が植栽された状態が、図１３（ｅ）である。
【００８６】
尚、係る構成に土等の培養基材２０１を直接入れると、係る隙間が開き過ぎて土等がこぼれ、また、係るスリット１００を小さくすると根１０４ごと植え替えることが困難であるため、根１０４ごと植え替え可能な十分な開口可能部が必要であり、また、どこにでも植え込むことが可能であるためには、係るスリット１００は長く設けられていることが望ましく、内側に専用の側面に植栽可能な植栽容器９０９に植え込むことが必要となる。
【００８７】
図１３(c)は、短冊状の可撓性シート１３０１が、複数並んで、設けられており、係る隣り合った可撓性シート１３０１が互いに一部を、例えば面ファスナー等の着脱可能係止部材１３０３で着脱可能に係止されて、スリット１００を開閉可能に設けられており、全体として、筒状の植栽容器カバー１を形成している構成を示している。
【００８８】
また、本構成においては、図１３(d)に示すように、係る植栽容器カバー１の下部のみを、例えば縫製等の、着脱出来ない、非着脱係止部１３０２にて係止されており、上部が係止されておらず開放可能な構成となっている。
係る構成によって、例えば、係る植栽容器カバー１を開いた状態で側面に植栽可能な植栽容器９０９を載せた状態で植え込み、側面に植え込んだ後で、係る植栽容器カバー１の着脱可能係止部材１３０３で、隣り合う短冊状の可撓性シート１３０１を、植栽植物２０２が係る植栽容器カバー１を挿通するように係止することが可能な構成であり、係る底面部１０９は設けても良いし、設けなくても良い。
【００８９】
尚、係る着脱可能係止部材１３０３としては、面ファスナー、マグネットシート等の磁石、結束、ファスナー、自己吸着シートでも良く、その着脱可能係止部材１３０３の構成は本発明の範囲内でその種類を限定しない。
尚、図１３及び図１４において、一重破線部は係る可撓性シート１３０１の重複している部分を示しており、二重の破線部は、非着脱係止部１３０２を示している。
【００９０】
図１４は、図１３（ａ）または図１３（ｃ）の構成が、巻いて設けられる構成の例を示している。
図１４（ａ）は図１３（ａ）の構成で、７本のスリット１００が上部から下部にかけて設けられ、植栽容器９０９には、巻いて設ける構成であり、巻いた際には係る両端部を面ファスナー等の着脱可能係止部材１３０３で係止することによって、図１４（ａ）の構成となる例を示している。
【００９１】
巻いて設ける構成であることによって、既に側面部に植栽された状態の植栽容器９０９に、係る植栽容器カバー１をセットすることが可能となる。
また、図１４（ｂ）は、図１３（ｃ）の構成で、同様に巻いて植栽容器９０９にセットする構成である。
係る構成によって、植栽容器のサイズの自由度が高まり、有用である。
【００９２】
尚、一連の本図の構成の例において、それぞれの図における構成の例は、本発明の１つの例の説明図に過ぎず、係る説明図の形状、構成に限定されるものではない。
【００９３】
また、目隠板棒材１０１の回動開閉方向は、右でも左でも上からでも下からでも斜めでも良く、主回動軸２０４の方向も、鉛垂方向でも、水平方向でも、斜め方向でも良く、また、前面方向、背面方向でも良く、開口方向も、上と下とが交互である等、混合していても良く、本発明と同一の作用効果を発揮できる範囲内でその方向を限定しない。
【００９４】
また、開閉の構造も、蝶番３０１でも、可撓性シート１３０１、紐、鎖、棒、支持材１０２と開閉板棒主材１０１の着脱可能な嵌合でもよく、その方法は本発明と同一の作用効果を発揮できる範囲内でその方向を限定しない。
【００９５】
また、目隠板棒材１０１あるいは開閉板棒主材１０１の形状は、板状でも棒状でも良く、また、丸棒でも角棒でも良く、本発明と同一の作用効果を発揮できる範囲内でその方向を限定しない。
【００９６】
但し、係る形状が棒状の場合、主回動軸２０４は係る開閉板棒主材１０１の長尺方向ではうまく回動回転による開閉しない為、短尺方向に主回動軸２０４を設けることが望ましい。
【００９７】
また、植栽容器カバー１の開口部も、上部であるが、斜めでも横でも、前面でも、側面でも、背面でも良いし、開口部に蓋が設けられていても良い。
【００９８】
また、開閉板棒主材１０１は、２次元平面状に設けられているが、曲面状に設けられても良いし、図３の様に、Ｌ字の植栽容器カバー１形状にして、角に置けるようにしても良いし、三角にしても良いし、その形状は本発明と同一の作用効果を発揮できる範囲内で限定しない。
【００９９】
また、目隠板棒材１０１の材質は、木や、アルミニウム、鉄等の金属、ポリプロピレン、ポリアミド等の樹脂、生地、石、ガラス、カーボン等、また、枠体に生地を張ったような構成でもよく、本発明の範囲内でその種類を限定しない。また、支持材１０２の材質についても、同様に必要な強度を満足し、また、用途に応じて曲げ可能な素材でも良く、本発明と同一の作用効果を発揮できる範囲内で限定しない。
【０１００】
また、主回動軸２０４の方向についても、水平方向に限らず、斜め方向でも鉛直方向でも、斜めと鉛直、水平回動のいずれか２以上が混合しても良く、また、放射状に設けられても良く、本発明と同一の作用効果を発揮できる範囲内でその方向を限定しない。
【０１０１】
また、目隠板棒材１０１について、幅は広い物と狭い物が混在しても良いし、長さについても違う長さで構成することも可能であり、また、形状についても、台形や３角形や平行四辺形、その他多角形で構成することも可能であり、また、板状でもでも格子状でも網状でも良く、部分的に穴やスリット１００を開けて内側が確認できるようにしても良いし、本発明の範囲内でその種類を限定せず、係る植栽容器カバー１に収納する植栽容器９０９のサイズや特徴に合わせて柵板板状材の長さや幅や開方向や形状や設置角度や主回動軸２０４の長手方向あるいは短手方向等を適切に設定するのが望ましい。
【０１０２】
また、隣接する開閉板棒主材１０１の間隔も広くても良いし、狭くても良く、また、狭いものと広いものが混合していても良い。
【０１０３】
また、開いた目隠板棒材１０１は、バネ力や空気圧や油圧、水圧等のピストン構造等や重力を利用して、自然と自動で閉じるような構造としても良く、係る自然に、自動で閉じる構造は、本発明と同一の作用効果を発揮できる範囲内でその構造を限定しない。因みに、例えば、重力を利用して、上側に開口している開閉板棒主材１０１を閉じる構造の実施例としては、開閉板棒主材１０１の開口する上部に紐状態を接続し、係る紐状体を支持材１０２に設けられた穴部を通して係る紐状体におもりを設けることによって、係るおもりに掛かる重力を利用して自動で開閉板棒主材１０１と閉じるという構造としても良い。
【０１０４】
また、可撓性シート１３０１の素材は、可撓性を備えたシート状で、テント生地やメッシュ生地等の布状部材、他各種繊維素材、各種ゴムや各種樹脂シート製、綿、麻等の天然素材、紙製、金属メッシュ等金属、張り剥がし自在なシートや自己吸着シート、マグネットシート、エラストマー系の樹脂、シリコン樹脂、発泡樹脂、また、色も透明、蛍光、光っても良く、その他、必要に応じた強度、機能を備え、本発明と同一の作用効果を発揮できる範囲内でその素材を限定しない。用途によっては、シリコン樹脂やゴム、エラストマー系の樹脂等で、水漏れ防止としても良い。
【０１０５】
また、透明であることによって、冬場に、係る植栽植物を係る植栽容器カバー内に入れることによって、直接霜などが当たり、枯死することを防止することが可能となり、且つしっかりと太陽に当てることができる構成とすることも可能であるし、黒などの濃い色としたり、反射率の高い材質にすることによって、日光のエネルギーを有効に使って、係る植栽容器を温めたり、反射光で、植物の育成を促進することが可能である構成とすることもできる。
【産業上の利用可能性】
【０１０６】
本願発明に係る植栽容器カバーによれば、略垂直方向等の側面に植栽可能な植栽容器の植物の保護と装飾の幅が広がり、植栽の多様なニーズに応えられ、特に、日本の狭く、あるいは密集した建造物周辺においても、緑化の自由度を高める垂直方向に植栽可能な植栽容器の課題を改善し、活用することが可能であることから、産業上利用可能性は大きいと思量される。
【符号の説明】
【０１０７】
１      植栽容器カバー
１００  隙間・スリット
１０１  開閉板棒主材
１０２  支持材
１０３  開閉柵材列
１０４  根
１０７  壁
１０９  底面部
１３１  連結オス部材
１３２  連結メス部材
１４５  回動軸Ｂ
２０１  培養基材
２０２  植物
２０３  吊り部
２０４  主回動軸
３００  主回動開閉構造
３０１  蝶番
３０２  オス形状部
３０３  メス形状部
５０９  開閉留め具
７０７  吊下げシート・吊下げ紐・吊下げ鎖
７０８  ボルト
７０９  連結開閉具
９０９  植栽容器
１００１  全回動軸
１３０１  可撓性シート
１３０２  非着脱係止部
１３０３  着脱可能係止部材
１５０３  連結板棒材
【図１】
2019129805.tif 000003
【図２】
2019129805.tif 000004
【図３】
2019129805.tif 000005
【図４】
2019129805.tif 000006
【図５】
2019129805.tif 000007
【図６】
2019129805.tif 000008
【図７】
2019129805.tif 000009
【図８】
2019129805.tif 000010
【図９】
2019129805.tif 000011
【図１０】
2019129805.tif 000012
【図１１】
2019129805.tif 000013
【図１２】
2019129805.tif 000014
【図１３】
2019129805.tif 000015
【図１４】
2019129805.tif 000016
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
植栽容器カバー（１）であって、
前記植栽容器カバーは、植物を植栽する植栽容器の外観を覆うカバーであって、
前記植栽容器カバーの側面には、植物の茎が挿通可能な１以上の隙間またはスリット(１００)を備え
前記隙間またはスリット(１００)が、開閉可能であることを特徴とする植栽容器カバー（１）。
【請求項２】
前記植栽容器カバーが、可撓性シート(１３０１)であることを特徴とする請求項１に記載の植栽容器カバー（１）。
【請求項３】
前記植栽容器カバーが、複数の帯状の可撓性シート(１３０１)が並んで設けられることによって、前記植栽容器カバーの側面に設けられた植物の茎が挿通可能な１以上の開閉可能な隙間またはスリット(１００)が、形成されていることを特徴とする請求項１または請求項２のいずれかに記載の植栽容器カバー（１）。
【請求項４】
前記複数の帯状の可撓性シート(１３０１)が一部を重なり合わせて、設けられており、前記隙間またはスリット(１００)が開閉可能であることを特徴とする請求項１から請求項３のいずれかに記載の植栽容器カバー（１）。
【請求項５】
前記植栽容器カバーの側面に設けられた植物の茎が挿通可能な１以上の隙間またはスリット(１００)が、面ファスナーで開閉可能であることを特徴とする請求項１から請求項４のいずれかに記載の植栽容器カバー（１）。
【請求項６】
前記植栽容器カバーが、植栽容器カバーの形状または位置を維持し、支える支持材（１０２）に設けられていることを特徴とする請求項１から請求項５のいずれかに記載の植栽容器カバー（１）。
【請求項７】
前記支持材が、曲げ可能であることを特徴とする請求項６に記載の植栽容器カバー（１）。 
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
植栽容器カバー（１）であって、
前記植栽容器カバーは、植物を植栽する植栽容器の外観を覆うカバーであって、
前記植栽容器カバーの側面には、植物の茎が挿通可能な１以上の隙間またはスリット(１００)を備え
前記隙間またはスリット(１００)が、開閉可能であることを特徴とする植栽容器カバー（１）。
【請求項２】
前記植栽容器カバーが、可撓性シート(１３０１)であることを特徴とする請求項１に記載の植栽容器カバー（１）。
【請求項３】
前記植栽容器カバーが、複数の帯状の可撓性シート(１３０１)が並んで設けられることによって、前記植栽容器カバーの側面に設けられた植物の茎が挿通可能な１以上の開閉可能な隙間またはスリット(１００)が、形成されていることを特徴とする請求項１または請求項２のいずれかに記載の植栽容器カバー（１）。
【請求項４】
前記複数の帯状の可撓性シート(１３０１)が一部を重なり合わせて、設けられており、前記隙間またはスリット(１００)が開閉可能であることを特徴とする請求項３に記載の植栽容器カバー（１）。
【請求項５】
前記植栽容器カバーの側面に設けられた植物の茎が挿通可能な１以上の隙間またはスリット(１００)が、面ファスナーで開閉可能であることを特徴とする請求項１から請求項４のいずれかに記載の植栽容器カバー（１）。
【請求項６】
前記植栽容器カバーが、植栽容器カバーの形状または位置を維持し、支える支持材（１０２）に設けられていることを特徴とする請求項１から請求項５のいずれかに記載の植栽容器カバー（１）。
【請求項７】
前記支持材が、曲げ可能であることを特徴とする請求項６に記載の植栽容器カバー（１）。